(57)【要約】【課題】メンテナンスを簡単に行えると共に、収納幅を広範囲にわたって調整可能な収納幅可変式板材収納枠を提供する。【解決手段】天板２０及び底板１０との間に直立配置された固定側板３０及び可動側板４０と、可動側板４０を移動させる移動機構５０を備え、移動機構５０は、可撓性を有し、その長手方向に沿って互いに間隔をおいて複数の歯が形成され、一端が可動側板４０に固定され、他端が自由端である可撓性ラック部材６３Ａ、６３Ｂ、７３Ａ、７３Ｂと、可撓性ラック部材６３Ａ、６３Ｂ、７３Ａ、７３Ｂに形成された各々の歯と噛合して回転する歯車６１Ａ、６１Ｂ、７１Ａ、７１Ｂを備え、可撓性ラック部材６３Ａ、６３Ｂ、７３Ａ、７３Ｂを歯車６１Ａ、６１Ｂ、７１Ａ、７１Ｂに噛合させて、可動側板４０を移動させる収納幅可変式板材収納枠１である。【選択図】図３
2008062963.tif 000002
【特許請求の範囲】
【請求項１】
一定間隔をあけて互いに対向配置された天板及び底板と、当該天板と底板との間に直立配置された固定側板と、当該天板と底板との間に直立配置されると共に、前記固定側板に対面して移動可能な可動側板と、当該可動側板を移動させる移動機構と、を備えてなる収納幅可変式板材収納枠であって、
前記移動機構は、
可撓性を有すると共に、その長手方向に沿って互いに間隔をおいて複数の歯が形成されてなる帯状体からなり、一端が前記可動側板に固定され、他端が自由端である可撓性ラック部材と、
前記可撓性ラック部材に形成された各々の歯と噛合して回転する歯車と、
を備え、
前記可撓性ラック部材を前記歯車に噛合させて、当該歯車の当該可撓性ラック部材に対する相対的な位置を調整することで前記可動側板を移動させる収納幅可変式板材収納枠。
【請求項２】
前記可撓性ラック部材を４つ有し、当該各々の可撓性ラック部材の一端は、前記可動側板の四隅近傍にそれぞれ固定されてなり、
前記可動側板の天板側に固定された可撓性ラック部材に形成された歯と噛合する歯車は、前記可動側板の底板側に固定された可撓性ラック部材に形成された歯と噛合する歯車と連動して回転する請求項１記載の収納幅可変式板材収納枠。
【請求項３】
前記歯車を４つ有し、当該各々の歯車は、前記天板及び底板の固定側板側角部近傍にそれぞれ配設されてなる請求項２記載の収納幅可変式板材収納枠。
【請求項４】
前記天板の固定側板側の一方の角部近傍に配設された歯車は、当該天板の固定側板側の他方の角部近傍に配設された歯車と連動して回転し、前記底板の固定側板側の一方の角部近傍に配設された歯車は、当該底板の固定側板側の他方の角部近傍に配設された歯車と連動して回転する請求項３記載の収納幅可変式板材収納枠。
【請求項５】
前記天板及び底板に、前記可撓性ラック部材を移動可能に支持する支持レールを配設してなる請求項１ないし請求項４のいずれか一項に記載の収納幅可変式板材収納枠。
【請求項６】
前記天板及び底板は、前記固定側板側と可動側板側とに分割されてなり、当該可動側板側が固定側板側に対して屈折可能に接続されてなる請求項１ないし請求項５のいずれか一項に記載の収納幅可変式板材収納枠。
【請求項７】
前記天板及び底板は、前記固定側板側と可動側板側とに分割されてなり、当該固定側板側及び可動側板側の一方が他方を進退移動可能に挿入し、当該進退移動によって、前記天板及び底板の幅を変更する請求項１ないし請求項５のいずれか一項に記載の収納幅可変式板材収納枠。
【請求項８】
前記進退移動は、前記可動側板の移動に連動して行われる請求項７記載の収納幅可変式板材収納枠。
【請求項９】
可撓性を有すると共に、その長手方向に沿って前記可撓性ラック部材と同様の複数の歯が形成されてなり、当該可撓性ラック部材の自由端に接続可能である接続用可撓性ラック部材をさらに備えた請求項１ないし請求項８のいずれか一項に記載の収納幅可変式板材収納枠。
【発明の詳細な説明】
【技術分野】
【０００１】
本発明は、板材を収納する収納幅可変式板材収納枠に係り、互いに間隔を置いて対向配置された一対の板材の間に略垂直に配設された固定側板と可動側板を備え、当該可動側板を固定側板に対して移動させることで、当該可動側板と固定側板との距離を調整し、収納幅を変更する収納幅可変式板材収納枠に関する。
【背景技術】
【０００２】
従来から、例えば、電子・電気機器等の基板等に代表される板材を収納する様々な収納枠（ラック）が提案されている。これらの収納枠の中には、様々な幅を備えた板材を、一種類の収納枠に収納可能なように、天板と底板との間に直立に配設された固定側板と可動側板を備え、当該可動側板を固定側板に対面して移動するように構成し、収納する板材の幅に合わせて前記可動側板を移動させることで、収納幅を変更できるものがある。
【０００３】
このような収納幅を変更できる収納幅可変式板材収納枠として、例えば、一定間隔をあけて設けられた天板と底板との間に２枚の直立する側板を対向させて設け、当該側板の一方を固定側板とし、他方を移動可能な可動側板とし、当該可動側板の４隅部近くに互いに連動する少なくとも各１個のピニオン歯車を回動自在に設け、これら全てのピニオン歯車と噛合するラックを刻設したガイドレールを、前記固定側板に対して直角方向になるよう前記天板及び底板の内面に配設したものがある。（例えば、特許文献１参照）。
【０００４】
また、略直方体状の枠体内に固定側板と可動側板とが対向して立設され、前記枠体内には、当該可動側板を可動させる歯車機構を介して同期駆動自在な両側一対の巻掛け伝動機構が上下に対向して配設され、当該上下の巻掛け伝動機構は、各々の軸を介して同期駆動自在であると共に、所要のロック装置が付設されてなる収納幅可変式板材収納枠も紹介されている。（例えば、特許文献２参照）。
【０００５】
また、天板及び底板のそれぞれに一対のガイドレールを設け、このガイドレールに沿って可動側板が一定の姿勢を保ったまま移動できるように、略コ字状に巻回したワイヤに接続した天板側同期移動機構部及び底板側同期移動機構部を設けると共に、天板側と底板側が同期移動できるように上下同期移動機構部を設けた収納幅可変式板材収納枠も紹介されている。（例えば、特許文献３参照）。
【０００６】
さらにまた、筺体内に回転自在に枢支された唯一個の回転軸と、該回転軸の第１の部分に設けられた第１のスプロケットと、該第１のスプロケットに噛合された第１のチェーンと、該第１のチェーンに噛合される複数個のスプロケットからなる第１のスプロケット群と、前記回転軸の第２の部分に設けられた第２のスプロケットと、該第２のスプロケットに噛合された第２のチェーンと、該第２のチェーンに噛合される複数個のスプロケットから成る第２のスプロケット群と、筺体の側部に固定された第１の固定側板と、筺体の他の側部に固定された第２の固定側板と、該第２の固定側板と前記第１の固定側板との間に配置されその端面の２箇所で前記第１のチェーンの第１の方向に送行する部分と接続され、他の端面の２箇所で前記第２のチェーンの第１の方向に送行する部分と接続された第１の可動側板と、該第１の可動側板と前記第２の固定側板との間に配置されその端面の２箇所で前記第１のチェーンの第２の方向に送行する部分と接続され他の端面の２箇所で前記第２のチェーンの第２の方向に送行する部分と接続された第２の可動側板とを有し、前記第１の可動側板または前記第２の可動側板を前記第１または第２のチェーンに沿って該チェーンと共に移動させることによって、前記第１の固定側板と前記第１の可動側板間の距離と、前記第２の固定側板と前記第２の可動側板間の距離を同時に同一の長さに変更、設定する収納幅可変式板材収納枠も紹介されている。（例えば、特許文献４参照）。
【０００７】
そしてまた、天板及び底板を、固定側板側の固定部分と、可動側板側の折り畳み部分とに２分割し、この折り畳み部分の角部近傍から前記固定部分にかけての天板及び底板の相対向する位置に長孔を形成し、前記天板及び底板間に軸中心に回動自在な可動支柱を配設し、この可動支柱の両端は前記長孔を挿通し且つこの長孔に対向する傾斜段部を備え、この傾斜段部と長孔との間には、当該傾斜段部に対向する面に該傾斜段部と略同一の傾斜角の傾斜面を備えた傾斜座金を、その傾斜面の傾斜方向を常時一定にして長孔に沿って移動自在に配設し、折り畳み及び展開をワンタッチで行うことができる収納幅可変式板材収納枠も紹介されている。（例えば、特許文献５参照）。
【特許文献１】実公平４−２９５９５号公報
【特許文献２】実公平６−８６３号公報
【特許文献３】特開２００２−１６７００７号公報
【特許文献４】特開２００６−１６０９６号公報
【特許文献５】特開平８−３３７２８４号公報
【発明の開示】
【発明が解決しようとする課題】
【０００８】
前述した従来の収納幅可変式板材収納枠は、可動側板を移動させるためのガイドレールや、ガイドレールとしての役割を果たす長孔が、天板及び底板の可動側板が移動する方向に沿って延設された構成を有している。このガイドレールや長孔部分は、天板及び底板の平面部分に比べ、ゴミや埃等の異物が溜まりやすいと共に、取り除き難いため、メンテナンスに手間がかかる虞がある。また、前記ガイドレールや長孔は、天板及び底板に固定されているため、その長さを任意に変更することができない。
【０００９】
また、前述した特許文献５に記載された収納幅可変式板材収納枠は、天板及び底板の固定部分に対し折り畳み部分を折り畳むことで、板材を収納しない際にスペース効率を向上させることができるが、可動側板を移動させるための長孔が、前記固定部分と折り畳み部分に跨って形成されているため、当該固定部分と折り畳み部分を同一平面とした際に、長孔の接続部分にズレやガタツキ等が生じる虞がある。したがって、可動側板を折り畳み部分から固定部分へと移動させる際に、可動側板が前記接続部分に引っ掛かる等して、スムーズな移動を行うことができなくなることが予想される。
【００１０】
本発明は、このような事情に鑑みなされたものであり、メンテナンスを簡単に行えると共に、収納幅を広範囲にわたって調整可能な収納幅可変式板材収納枠を提供することを目的とする。
【課題を解決するための手段】
【００１１】
この目的を達成するため本発明は、一定間隔をあけて互いに対向配置された天板及び底板と、当該天板と底板との間に直立配置された固定側板と、当該天板と底板との間に直立配置されると共に、前記固定側板に対面して移動可能な可動側板と、当該可動側板を移動させる移動機構と、を備えてなる収納幅可変式板材収納枠であって、前記移動機構は、可撓性を有すると共に、その長手方向に沿って互いに間隔をおいて複数の歯が形成されてなる帯状体からなり、一端が前記可動側板に固定され、他端が自由端である可撓性ラック部材と、前記可撓性ラック部材に形成された各々の歯と噛合して回転する歯車と、を備え、前記可撓性ラック部材を前記歯車に噛合させて、当該歯車の当該可撓性ラック部材に対する相対的な位置を調整することで前記可動側板を移動させる収納幅可変式板材収納枠を提供するものである。
【００１２】
この構成を備えた収納幅可変式板材収納枠によれば、前記可動側板を移動させる移動機構の構成要素である可撓性ラック部材は、その一端が前記可動側板に固定されると共に、他端が自由端であり、天板及び底板に固定されていない。したがって、前記可動側板を移動させるために行う可撓性ラック部材と歯車との噛合は、天板や底板の状態に関係なく行われることになる。このため、可撓性ラック部材と歯車とを、常に安定して噛合させることができるため、前記可動側板の移動をスムーズに行うことができる。また、天板や底板を清掃し易いと共に、可撓性ラック部材自身の清掃も簡単に行うことができる。
【００１３】
また、本発明にかかる収納幅可変式板材収納枠は、前記可撓性ラック部材を４つ有し、当該各々の可撓性ラック部材の一端は、前記可動側板の四隅近傍にそれぞれ固定されてなり、前記可動側板の天板側に固定された可撓性ラック部材に形成された歯と噛合する歯車が、前記可動側板の底板側に固定された可撓性ラック部材に形成された歯と噛合する歯車と連動して回転するよう構成することもできる。このように構成することで、前記利点に加え、歯車を回転させるための駆動機構を簡略化することができ、且つ固定側板側に集約することができる。また、可動側板を固定側板に対してより安定した状態で平行移動させることができる。
【００１４】
この構成の場合、前記歯車を４つ有し、当該各々の歯車を、前記天板及び底板の固定側板側角部近傍にそれぞれ配設することもできる。また、この場合、前記天板の固定側板側の一方の角部近傍に配設された歯車は、当該天板の固定側板側の他方の角部近傍に配設された歯車と連動して回転し、前記底板の固定側板側の一方の角部近傍に配設された歯車は、当該底板の固定側板側の他方の角部近傍に配設された歯車と連動して回転するよう構成することもできる。
【００１５】
そしてまた、本発明にかかる収納幅可変式板材収納枠は、前記天板及び底板に、前記可撓性ラック部材を移動可能に支持する支持レールを配設することもできる。このように構成することで、可撓性ラック部材が歯車と噛合して可動側板を移動させる際に、当該可撓性ラック部材は、前記支持レールに支持された状態で移動することになるため、前記利点に加え、前記可撓性ラック部材と歯車との噛合をさらに安定した状態で行わせることができる。したがって、可動側板を固定側板に対してより一層安定した状態で平行移動させることができる。
【００１６】
また、本発明にかかる収納幅可変式板材収納枠は、前記天板及び底板を、前記固定側板側と可動側板側とに分割し、当該可動側板側を固定側板側に対して屈折（折り畳み）可能に接続した構成とすることもできる。このように構成することで、収納幅可変式板材収納枠に板材を収納しない際や、前記固定側板から前記屈曲位置までの長さよりも狭い幅を有する板材を収納する際には、可動側板を前記天板及び底板の屈曲位置よりも固定側板側に移動させ、当該天板及び底板を屈曲させることができる。このため、収納幅可変式板材収納枠の保管スペースを小さくすることができ、省スペース化を達成することができる。
【００１７】
ここで、本発明にかかる収納幅可変式板材収納枠に、前記固定側板から前記屈曲位置までの長さよりも広い幅を有する板材を収納する際には、前記天板及び底板を屈曲した状態から平らにした（同一平面とした）状態にするが、この時、可動側板を移動させる移動機構の構成要素である可撓性ラック部材が、天板及び底板に固定されていないため、仮に、前記屈曲位置において、天板や底板にズレやガタツキ等が生じたとしても、このズレやガタツキ等が、可撓性ラック部材と歯車との噛合に悪影響を及ぼすことが殆どない。したがって、可動側板は、前記屈曲位置をスムーズに安定した状態で通過する（移動する）ことができる。
【００１８】
また、本発明にかかる収納幅可変式板材収納枠は、前記天板及び底板を、前記固定側板側と可動側板側とに分割し、当該固定側板側及び可動側板側の一方が他方を進退移動可能に（いわゆる「入れ子」状に）挿入し、当該進退移動によって、前記天板及び底板の幅を変更するよう構成することもできる。このように構成することで、収納する板材の幅に応じて、天板及び底板の幅（長さ）を長くしたり、短くしたりすることができる。また、収納幅可変式板材収納枠に板材を収納しない際は、天板及び底板の幅（長さ）を最低限まで短くすることができる。このため、収納幅可変式板材収納枠の保管スペースを小さくすることができ、省スペース化を達成することができる。また、この場合も、可動側板を移動させる移動機構の構成要素である可撓性ラック部材が、天板及び底板に固定されていないため、天板や底板にズレやガタツキ、段差等が生じたとしても、可撓性ラック部材と歯車との噛合に悪影響を及ぼすことが殆どない。そしてまた、この構成の場合、前記進退移動は、前記可動側板の移動に連動して行うことができる。
【００１９】
そしてまた、本発明にかかる収納幅可変式板材収納枠は、可撓性を有すると共に、その長手方向に沿って前記可撓性ラック部材と同様の複数の歯が形成されてなり、当該可撓性ラック部材の自由端に接続可能である接続用可撓性ラック部材をさらに備えることもできる。このようにすることで、固定側板と可動側板との距離を長くとることもできる。
【発明の効果】
【００２０】
本発明にかかる収納幅可変式板材収納枠は、可撓性ラック部材の一端が前記可動側板に固定されると共に、他端が自由端であり、天板及び底板に固定されていないため、前記可動側板を移動させるために行う可撓性ラック部材と歯車との噛合は、天板や底板の状態に関係なく行われることになる。したがって、可撓性ラック部材と歯車とを、常に安定して噛合させることができるため、可動側板の移動をスムーズに行うことができる。また、天板や底板を清掃し易いと共に、可撓性ラック部材自身の清掃も簡単に行うことができる。この結果、メンテナンスを簡単に行えると共に、収納幅を広範囲にわたって調整可能な収納幅可変式板材収納枠を提供することができる。
【発明を実施するための最良の形態】
【００２１】
次に、本発明の好適な実施の形態にかかる収納幅可変式板材収納枠について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２２】
図１は、本発明の実施の形態にかかる収納幅可変式板材収納枠の斜視図、図２は、図１に示す収納幅可変式板材収納枠の天板及び底板を折り畳んだ状態を示す斜視図、図３は、図１に示す収納幅可変式板材収納枠の可動側板を移動させる移動機構が見えるように収納幅可変式板材収納枠の一部を透過させた状態で示す斜視図、図４は、図２に示す収納幅可変式板材収納枠の移動機構が見えるように収納幅可変式板材収納枠の一部を透過させた状態で示す斜視図であって、天板及び底板の折り畳まれた部分を省略して示す図、図５は、図１に示す収納幅可変式板材収納枠の移動機構の一部を示す斜視図、図６は、図７に示すＡ−Ａ線に沿った断面図であって、移動機構の一部を示す図、図７は、図６に示すＢ−Ｂ線に沿った断面図であって、移動機構の一部を示す図、図８は、図７に示すＣ−Ｃ線に沿った断面図であって、移動機構の一部を示す図である。
【００２３】
図１〜図８に示すように、本実施の形態にかかる収納幅可変式板材収納枠１は、一定間隔をあけて互いに対向配置された底板１０及び天板２０と、底板１０と天板２０との間に直立配置された固定側板３０と、底板１０と天板２０との間に直立配置されると共に、固定側板３０に対面し、固定側板３０に対し平行に移動可能な可動側板４０と、可動側板４０を移動させる移動機構５０を備えて構成されている。
【００２４】
底板１０は、その内部に、後に詳述する移動機構５０の一部を収納する空間が形成された略板状の第１の底板１０Ａと、その内部に移動機構５０の一部を収納する空間が形成された略板状の第２の底板１０Ｂと、第１の底板１０Ａと第２の底板１０Ｂとを折り畳み可能に連結するヒンジ１１を備えている。すなわち、底板１０は、第１の底板１０Ａと第２の底板１０Ｂとに分割されてなり、第２の底板１０Ｂが、第１の底板１０Ａに対して屈曲可能となっている。
【００２５】
第１の底板１０Ａは、第２の底板１０Ｂ側に位置する端面１２の両側に、ヒンジ１１の一部を構成する凸部１１Ａ及び１１Ｂが形成されている。また、第２の底板１０Ｂの第１の底板１０Ａ側に位置する端面１７の両側には、底板１０を折り畳んでいない際に、凸部１１Ａ及び１１Ｂが隣接する位置に、ヒンジ１１の一部を構成する凸部１１Ｃ及び１１Ｄが形成されている。そして、凸部１１Ａ及び凸部１１Ｃと、凸部１１Ｂ及び凸部１１Ｄとを連結バー１１Ｅで連結することにより、ヒンジ１１が形成されている。第１の底板１０Ａの端面１２であって、凸部１１Ａの凸部１１Ｂ側、及び凸部１１Ｂの凸部１１Ａ側には、底板１０を折り畳んでいない際に、第２の底板１０Ｂの凸部１１Ｃ及び１１Ｄが各々収納される収納孔１３Ａ及び１３Ｂが、それぞれ隣接形成されている。また、第２の底板１０Ｂの端面１７であって、凸部１１Ｃの凸部１１Ｄ側、及び凸部１１Ｄの凸部１１Ｃ側には、底板１０を折り畳んでいない際に、第１の底板１０Ａの凸部１１Ａ及び１１Ｂが各々収納される収納孔（図示せず：後に詳述する収納孔２８Ａ及び２９Ｂと同様の収納孔）が、それぞれ隣接形成されている。
【００２６】
また、第１の底板１０Ａの上面には、下方に向けて貫通すると共に、第２の底板１０Ｂ側に向けて延び且つ第２の底板１０Ｂ側が貫通する第１のガイド孔１４Ａ及び１４Ｂが互いに間隔をおいて平行に形成されている。一方、第２の底板１０Ｂの上面には、下方に向けて貫通すると共に、第１の底板１０Ａ側に向けて延び且つ第１の底板１０Ａ側が貫通する第２のガイド孔１５Ａ及び１５Ｂが互いに間隔をおいて平行に形成されている。この第２のガイド孔１５Ａ及び１５Ｂは、底板１０を折り畳んでいない際に、第１のガイド孔１４Ａ及び１４Ｂと、それぞれ同一直線上となる位置に形成されている。そして、第１のガイド孔１４Ａと第２のガイド孔１５Ａが連通することで、可動側板４０の移動をガイドするガイド孔１６Ａを形成し、第１のガイド孔１４Ｂと第２のガイド孔１５Ｂが連通することで、可動側板４０の移動をガイドするガイド孔１６Ｂを形成している。
【００２７】
天板２０は、底板１０と同様の構成を有しており、底板１０の天地を逆にした状態で配設されている。すなわち、天板２０は、その内部に、後に詳述する移動機構５０の一部を収納する空間が形成された略板状の第１の天板２０Ａと、その内部に移動機構５０の一部を収納する空間が形成された略板状の第２の天板２０Ｂと、第１の天板２０Ａと第２の天板２０Ｂとを折り畳み可能に連結するヒンジ２１を備えている。すなわち、天板２０は、第１の天板２０Ａと第２の天板２０Ｂとに分割されてなり、第２の天板２０Ｂが、第１の天板２０Ａに対して屈曲可能となっている。
【００２８】
第１の天板２０Ａの第２の天板２０Ｂ側に位置する端面２２の両側には、凸部１１Ａ及び１１Ｂと同様の凸部２１Ａ及び２１Ｂが形成され、収納孔１３Ａ及び１３Ｂと同様の収納孔２３Ａ及び２３Ｂが形成されている。また、第２の天板２０Ｂの第１の天板２０Ａ側に位置する端面２７の両側には、凸部１１Ｃ及び１１Ｄと同様の凸部２１Ｃ及び２１Ｄが形成され、凸部２１Ｃの凸部２１Ｄ側、及び凸部２１Ｄの凸部２１Ｃ側には、天板２０を折り畳んでいない際に、凸部１１Ａ及び２１Ｂが各々収納される収納孔２８Ａ及び２８Ｂが、それぞれ隣接形成されている。そして、凸部２１Ａ及び凸部２１Ｃと、凸部２１Ｂ及び凸部２１Ｄとを連結バー２１Ｅで連結することにより、ヒンジ２１が形成されている。
【００２９】
また、第１の天板２０Ａの下面には、第１のガイド孔１４Ａ及び１４Ｂと同様の第１のガイド孔２４Ａ及び２４Ｂが形成されており、第２の天板２０Ｂの下面には、第２のガイド孔１５Ａ及び１５Ｂと同様の第２のガイド孔２５Ａ及び２５Ｂが各々形成されている。そして、第１のガイド孔２４Ａと第２のガイド孔２５Ａが連通することで、可動側板４０の移動をガイドするガイド孔２６Ａを形成し、第１のガイド孔２４Ｂと第２のガイド孔２５Ｂが連通することで、可動側板４０の移動をガイドするガイド孔２６Ｂを形成している。
【００３０】
固定側板３０は、第１の底板１０Ａの第２の底板１０Ｂとは反対側の端部に立設されている。この固定側板３０は、第１の底板１０Ａ側に配設される底板側固定側板３０Ａと、第１の天板２０Ａ側に配設される天板側固定側板３０Ｂから構成されている。底板側固定側板３０Ａ及び天板側固定側板３０Ｂは、同様の形状を有し、収納幅可変式板材収納枠１に収納される図示しない板材を支持する水平に延びる平行溝３１が、上下方向に複数並設されている。
【００３１】
可動側板４０は、底板１０側に配設される底板側固定側板４０Ａと、天板２０側に配設される天板側固定側板４０Ｂと、底板側固定側板４０Ａ及び天板側固定側板４０Ｂの背面を支持する２つの支持柱４５Ａ及び４５Ｂを備えている。底板側固定側板４０Ａ及び天板側固定側板４０Ｂは、同様の形状を有し、収納幅可変式板材収納枠１に収納される図示しない板材を支持する水平に延びる平行溝４１が、上下方向に複数並設されている。各々の平行溝４１は、これに対向する各々の平行溝３１と同様の高さを有し、任意の平行溝３１と、これに対向する平行溝４１に、板材の端部を各々支持させることで、当該板材を水平に収納するようになっている。
【００３２】
支持柱４５Ａ及び４５Ｂは、下端が下方に延出しており、この延出部４２Ａ及び４２Ｂが、ガイド孔１６Ａ及び１６Ｂに各々移動可能に挿入されている。また、支持柱４５Ａ及び４５Ｂの上端は、上方に延出しており、この延出部４３Ａ及び４３Ｂが、ガイド孔２６Ａ及び２６Ｂに各々移動可能に挿入されている。そして、支持柱４５Ａの延出部４２Ａ及び４３Ａがガイド孔１６Ａ及び２６Ａに沿って移動し、支持柱４５Ｂの延出部４２Ｂ及び４３Ｂがガイド孔１６Ｂ及び２６Ｂに沿って移動することで、可動側板４０が固定側板３０に対し進退移動するようになっている。
【００３３】
移動機構５０は、第１の底板１０Ａの内部空間に配設された底板側移動機構５１と、第１の天板２０Ａの内部空間に配設された天板側移動機構５２と、底板側移動機構５１と天板側移動機構５２とを連結して連動させる垂直連動軸５３Ａ及び５３Ｂを備えて構成されている。
【００３４】
底板側移動機構５１は、第１の底板１０Ａの内部であって、固定側板３０側にある一方の角部付近に配設され、垂直連動軸５３Ａを回転軸として回転する歯車６１Ａと、歯車６１Ａと噛合して回転する歯車６２Ａと、一端が可動側板４０の延出部４２Ａに固定され、他端側が歯車６１Ａと噛合する可撓性ラック部材６３Ａと、第１の底板１０Ａの内部であって、固定側板３０側にある他方の角部付近に配設され、垂直連動軸５３Ｂを回転軸として回転する歯車６１Ｂと、歯車６１Ｂと噛合して回転する歯車６２Ｂと、一端が可動側板４０の延出部４２Ｂに固定され、他端側が歯車６１Ｂと噛合する可撓性ラック部材６３Ｂと、歯車６２Ａ及び６２Ｂの回転軸をなし、歯車６２Ａと歯車６２Ｂとを連結して連動させる水平連動軸６４を備えている。
【００３５】
可撓性ラック部材６３Ａ及び６３Ｂは、可撓性を有すると共に、その長手方向に沿って互いに間隔をおいて複数の歯６９Ａ及び６９Ｂが各々形成された帯状体から構成されている。これらの歯６９Ａ及び６９Ｂは、歯車６１Ａ及び６１Ｂに形成された歯と噛合し、歯車６１Ａ及び６１Ｂが回転することによって、可撓性ラック部材６３Ａ及び６３Ｂが移動することで、可動側板４０が移動するようになっている。
【００３６】
第１の底板１０Ａ及び第２の底板１０Ｂの内部であって、可動側板４０が移動する方向と略垂直な両側には、可撓性ラック部材６３Ａ及び６３Ｂを支持する支持レール６５Ａ及び６５Ｂが、可動側板４０の移動方向に沿って各々配設されている。また、第１の底板１０Ａの内部であって、歯車６１Ａ及び６１Ｂの外側近傍には、歯車６１Ａ及び６１Ｂの外周に沿って移動する可撓性ラック部材６３Ａ及び６３Ｂを支持する円弧状の支持レール６８Ａ及び６８Ｂが各々配設されている。
【００３７】
天板側移動機構５２は、底板側移動機構５１の天地を逆にした構成を備えている。すなわち、第１の天板２０Ａの内部であって、固定側板３０側にある一方の角部付近に配設され、垂直連動軸５３Ａを回転軸として回転する歯車７１Ａと、歯車７１Ａと噛合して回転する歯車７２Ａと、一端が可動側板４０の延出部４３Ａに固定され、他端側が歯車７１Ａと噛合する可撓性ラック部材７３Ａと、第１の天板２０Ａの内部であって、固定側板３０側にある他方の角部付近に配設され、垂直連動軸５３Ｂを回転軸として回転する歯車７１Ｂと、歯車７１Ｂと噛合して回転する歯車７２Ｂと、一端が可動側板４０の延出部４３Ｂに固定され、他端側が歯車７１Ｂと噛合する可撓性ラック部材７３Ｂと、歯車７２Ａ及び７２Ｂの回転軸をなし、歯車７２Ａと歯車７２Ｂとを連結して連動させる水平連動軸７４を備えている。
【００３８】
可撓性ラック部材７３Ａ及び７３Ｂは、可撓性を有すると共に、その長手方向に沿って互いに間隔をおいて複数の歯７９Ａ及び７９Ｂが各々形成された帯状体から構成されている。これらの歯７９Ａ及び７９Ｂは、歯車７１Ａ及び７１Ｂに形成された歯と噛合し、歯車７１Ａ及び７１Ｂが回転することによって、可撓性ラック部材７３Ａ及び７３Ｂが移動することで、可動側板４０が移動するようになっている。
【００３９】
第１の天板２０Ａ及び第２の天板２０Ｂの内部であって、可動側板４０が移動する方向と略垂直な両側には、可撓性ラック部材７３Ａ及び７３Ｂを支持する支持レール７５Ａ及び７５Ｂが、可動側板４０の移動方向に沿って各々配設されている。また、第１の天板２０Ａの内部であって、歯車７１Ａ及び７１Ｂの外側近傍には、歯車７１Ａ及び７１Ｂの外周に沿って移動する可撓性ラック部材７３Ａ及び７３Ｂを支持する円弧状の支持レール７８Ａ及び７８Ｂが各々配設されている。
【００４０】
この構成を備えた移動機構５０は、歯車６１Ａと歯車７１Ａが、垂直連動軸５３Ａを介して連動して回転し、歯車６１Ｂと歯車７１Ｂが、垂直連動軸５３Ｂを介して連動して回転する。また、歯車６１Ａと噛合して回転する歯車６２Ａと、歯車６１Ｂと噛合して回転する歯車６２Ｂとが、水平連動軸６４を介して連動して回転し、歯車７１Ａと噛合して回転する歯車７２Ａと、歯車７１Ｂと噛合して回転する歯車７２Ｂとが、水平連動軸７４を介して連動して回転する。したがって、合計８つの歯車６１Ａ、６１Ｂ、６２Ａ、６２Ｂ、７１Ａ、７１Ｂ、７２Ａ及び７２Ｂが、互いに連動して同様に回転することになるため、歯車６１Ａ、６１Ｂ、７１Ａ及び７１Ｂが回転することにより移動する可撓性ラック部材６３Ａ、６３Ｂ、７３Ａ及び７３Ｂも互いに同じ状態で移動することになる。したがって、可動側板４０を、上下左右にずれることなく、精度よく平行に移動させることができる。
【００４１】
次に、本実施の形態にかかる収納幅可変式板材収納枠１の具体的動作について、図面を参照して説明する。
【００４２】
先ず、収納幅可変式板材収納枠１に図示しない板材を収納する場合は、板材の一端を固定側板３０の任意の平行溝３１に挿入し、他端が、可動側板４０に形成されている平行溝３１と同じ高さの平行溝４１に挿入されるように可動側板４０を移動させ、固定側板３０と可動側板４０との距離が、板材の幅に合うように調整する。この時、可動側板４０は、使用者によって固定側板３０に向けて押されることで移動する。具体的には、可動側板４０が固定側板３０に向けて移動することで、可撓性ラック部材６３Ａ、６３Ｂ、７３Ａ及び７３Ｂが固定側板３０に向けて押され、これによって、歯車６１Ａ、６１Ｂ、７１Ａ及び７１Ｂが回転するが、この時、各々の可撓性ラック部材６３Ａ、６３Ｂ、７３Ａ及び７３Ｂは、支持レール６５Ａ、６５Ｂ、７５Ａ及び７５Ｂと、円弧状の支持レール６８Ａ、６８Ｂ、７８Ａ及び７８Ｂによって、支持されているため、各々の可撓性ラック部材６３Ａ、６３Ｂ、７３Ａ及び７３Ｂと、各々の歯車６１Ａ、６１Ｂ、７１Ａ及び７１Ｂとの噛合を、より安定した状態で行うことができる。この動作によって、８つの歯車６１Ａ、６１Ｂ、６２Ａ、６２Ｂ、７１Ａ、７１Ｂ、７２Ａ及び７２Ｂが、互いに連動して回転し、可動側板４０は上下左右にずれることなく、固定側板３０に近づくよう平行に移動する。このようにして、固定側板３０と可動側板４０との距離が板材の幅に合うように調整され、板材は、固定側板３０と可動側板４０とで支持された状態で収納幅可変式板材収納枠１に収納される。また、この幅が調整された収納幅可変式板材収納枠１に、さらに板材を収納する場合は、板材が配置されていない平行溝３１と、この平行溝３１と同じ高さの平行溝４１に、板材の両端を挿入すればよい。
【００４３】
なお、この時、可動側板４０は、第２の底板１０Ｂと第２の天板２０Ｂとの間に位置しており、第２の底板１０Ｂ及び第２の天板２０Ｂを支持している。したがって、底板１０及び天板２０は、折り畳まれておらず、平坦な形状を維持している。そして、この板材の収納時には、可動側板４０は、図示しないストッパ等によって、その位置が固定されている。
【００４４】
一方、板材を収納していない収納幅可変式板材収納枠１を保管する、あるいは携帯する際には、可動側板４０が固定側板３０にさらに近づくように可動側板４０を押すことで、移動機構５０が前記と同様の動作を行い、図４及び図５に示すように、可動側板４０を固定側板３０に近接させる。この時、可動側板４０は、第１の底板１０Ａと第１の天板２０Ａとの間に位置するため、第２の底板１０Ｂ及び第２の天板２０Ｂは、可動側板４０によって支持されていない状態となり、第１の底板１０Ａ及び第１の天板２０Ａに対し、ヒンジ１１及び２１を介して各々が折り畳み可能となる。
【００４５】
なお、固定側板３０から、第１の底板１０Ａと第２の底板１０Ｂとの境界線（底板１０の屈曲位置）までの距離よりも狭い幅を有する板材を収納幅可変式板材収納枠１に収納する際は、底板１０及び天板２０を前記と同様に折り畳んだ状態にして、板材を収納してもよい。このような状態で収納幅可変式板材収納枠１に板材を収納すれば、板材を収納している際も省スペース化を達成することができる。
【００４６】
このように、本実施の形態にかかる収納幅可変式板材収納枠１は、底板１０及び天板２０が折り畳み可能となっている。また、可動側板４０を固定側板３０に近接させた際には、移動機構５０を、第１の底板１０Ａ及び第１の天板２０Ａの固定側板側の端部に集約することができる。したがって、保管スペースを小さくすることができ、省スペース化を達成することができる。また、携帯にも便利である。
【００４７】
次に、底板１０及び天板２０が折り畳まれた状態で保管あるいは携帯した収納幅可変式板材収納枠１に、板材を収納させる際は、可動側板４０を固定側板３０から遠ざかる方向に移動させればよい。この時、可動側板４０が、第１の底板１０Ａ及び第１の天板２０Ａから第２の底板１０Ｂ及び第２の天板２０Ｂに移動する（のり移る）際は、第２の底板１０Ｂ及び第２の天板２０Ｂが、第１の底板１０Ａ及び第１の天板２０Ａと同一平面上になるように、ヒンジ１１及び２１を介して、第２の底板１０Ｂ及び第２の天板２０Ｂの折り畳みを解除するが、この時、可動側板４０の移動は、可撓性ラック部材６３Ａ、６３Ｂ、７３Ａ及び７３Ｂと、歯車６１Ａ、６１Ｂ、７１Ａ及び７１Ｂとが噛合することにより行われるため、底板１０や天板２０の状態が前記噛合に影響を与えることが殆ど無い。このため、可撓性ラック部材６３Ａ、６３Ｂ、７３Ａ及び７３Ｂと、歯車６１Ａ、６１Ｂ、７１Ａ及び７１Ｂとを、常に安定して噛合させることができ、可動側板４０の移動をスムーズに行うことができる。また、底板１０の上面及び天板２０の下面には、移動機構５０の構成要素が露出していないため、底板１０の上面及び天板２０の下面を清掃し易いと共に、移動機構５０が汚れにくいという利点もある。
【００４８】
なお、本実施の形態では、底板１０及び天板２０を折り畳めるようにして、省スペース化を達成する場合について説明したが、これに限らず、例えば、図９に示すように、第１の底板１０Ａの内部空間に、第２の底板１０Ｂを出し入れ可能（進退移動可能）に入れ子状に挿入させ、第１の天板２０Ａの内部空間に、第２の天板２０Ｂを出し入れ可能に入れ子状に挿入させることで、底板１０及び底板２０の幅（長さ）を変更するように構成してもよい。
【００４９】
また、図１０に示すように、第２の底板１０Ｂ及び第２の天板２０Ｂを、平面視で略Ｔ字状に形成し、第２の底板１０Ｂ及び第２の天板２０Ｂの、略Ｔ字の縦線部分に相当する部分（可動側板４０の移動方向とは略直角な方向の長さが短い部分）を、第１の底板１０Ａ及び第１の天板２０Ａの内部空間に、出し入れ可能（進退移動可能）に入れ子状に挿入させることで、底板１０及び底板２０の幅（長さ）を変更するように構成してもよい。
【００５０】
なお、図９に示す構成の場合、第１の底板１０Ａ及び第１の天板２０Ａに対する第２の底板１０Ｂ及び第２の天板２０Ｂの進退移動は、可動側板４０の移動に連動して行われてもよく、連動せずに行ってもよい。また、図１０に示す構成の場合、第１の底板１０Ａ及び第１の天板２０Ａに対する第２の底板１０Ｂ及び第２の天板２０Ｂの進退移動は、可動側板４０の移動に連動して行われる。
【００５１】
そしてまた、本実施の形態では、移動機構５０として、８つの歯車６１Ａ、６１Ｂ、６２Ａ、６２Ｂ、７１Ａ、７１Ｂ、７２Ａ及び７２Ｂを互いに連動させた場合について説明したが、これに限らず、例えば、歯車６２Ａ、６２Ｂ、７２Ａ及び７２Ｂと、水平連動軸６４及び７４を配設せずに、垂直連動軸５３Ａを介して歯車６１Ａと歯車７１Ａとを連動させ、垂直連動軸５３Ｂを介して歯車６１Ｂと歯車７１Ｂとを連動させた構成としてもよい。また、垂直連動軸５３Ａ及び５３Ｂを配設せずに、歯車６２Ａ及び６２Ｂと水平連動軸６４を介して歯車６１Ａと歯車６１Ｂとを連動させ、歯車７２Ａ及び７２Ｂと水平連動軸７４を介して歯車７１Ａと歯車７１Ｂとを連動させた構成としてもよい。さらにまた、歯車６２Ａ、６２Ｂ、７２Ａ及び７２Ｂと、水平連動軸６４及び７４を配設せずに、各々の歯車６１Ａ、６１Ｂ、７１Ａ及び７１Ｂを単独で回転させてもよい。
【００５２】
また、本実施の形態では、可動側板４０を移動させたい方向に押すことにより、移動機構５０によって可動側板４０を移動させる場合について説明したが、これに限らず、８つの歯車６１Ａ、６１Ｂ、６２Ａ、６２Ｂ、７１Ａ、７１Ｂ、７２Ａ及び７２Ｂが互いに連動して回転する構成の場合は、これらの歯車６１Ａ、６１Ｂ、６２Ａ、６２Ｂ、７１Ａ、７１Ｂ、７２Ａ及び７２Ｂのいずれか１つを任意に回転させることで、可動側板４０を移動させてもよい。この場合、回転させる歯車は、手動で回転させてもよく、電動で回転させてもよい。また、歯車を使用した移動機構に代えて、タイミングベルト等を使用した移動機構を設けてもよい。
【００５３】
そしてまた、移動機構５０に代えて、例えば、図１１に示すように、第１の底板１０Ａの内部空間に配設された底板側移動機構１５１と、第１の天板２０Ａの内部空間に配設された天板側移動機構１５２と、底板側移動機構１５１と天板側移動機構１５２とを連結して連動させる垂直連動軸１５３を備えた移動機構１５０を採用してもよい。具体的には、底板側移動機構１５１は、第１の底板１０Ａに配設された歯車１６１と、一端が可動側板４０の延出部４２Ａに固定され、他端側が歯車１６１と噛合する可撓性ラック部材１６３Ａと、一端が可動側板４０の延出部４２Ｂに固定され、他端側が歯車１６１と噛合する可撓性ラック部材１６３Ｂを備えて構成されている。天板側移動機構１５２は、第１の天板２０Ａに配設された歯車１７１と、一端が可動側板４０の延出部４３Ａに固定され、他端側が歯車１７１と噛合する可撓性ラック部材１７３Ａと、一端が可動側板４０の延出部４３Ｂに固定され、他端側が歯車１７１と噛合する可撓性ラック部材１７３Ｂを備えて構成されている。垂直連動軸１５３は、歯車１６１と歯車１７１とを連結して連動させ、これらを回転させる構成を備えている。なお、第１の底板１０Ａの下面１１０Ａの内側と上面１１０Ｂの内側には、可撓性ラック部材１６３Ａ及び１６３Ｂを各々支持する支持レール１６５Ａ及び１６５Ｂが形成されている。また、第１の天板２０Ａの下面２１０Ａの内側と上面２１０Ｂの内側には、可撓性ラック部材１７３Ａ及び１７３Ｂを各々支持する支持レール１７５Ａ及び１７５Ｂが形成されている。この図１１に示す移動機構１５０を備えた収納幅可変式板材収納枠１も、可動側板４０を移動させる基本的な動作は、前述した実施の形態と同様である。
【００５４】
そしてまた、可撓性ラック部材６３Ａ、６３Ｂ、７３Ａ、７３Ｂ、１６３Ａ、１６３Ｂ、１７３Ａ、１７３Ｂの自由端には、これらと同様の形状を有すると共に、任意の長さを有する接続用の可撓性ラック部材をさらに配設してもよい。このようにすることで、固定側板３０と可動側板４０との距離を長くとることもできる。
【００５５】
また、本実施の形態では、固定側板３０を、底板側固定側板３０Ａと天板側固定側板３０Ｂから構成し、可動側板４０を、底板側固定側板４０Ａと天板側固定側板４０Ｂから構成した場合について説明したが、これに限らず、固定側板３０及び可動側板４０の各々は、３枚以上の側板から構成してもよく、１枚の側板から構成してもよい。
【図面の簡単な説明】
【００５６】
【図１】本発明の実施の形態にかかる収納幅可変式板材収納枠の斜視図である。
【図２】図１に示す収納幅可変式板材収納枠の天板及び底板を折り畳んだ状態を示す斜視図である。
【図３】図１に示す収納幅可変式板材収納枠の可動側板を移動させる移動機構が見えるように収納幅可変式板材収納枠の一部を透過させた状態で示す斜視図である。
【図４】図２に示す収納幅可変式板材収納枠の移動機構が見えるように収納幅可変式板材収納枠の一部を透過させた状態で示す斜視図であって、天板及び底板の折り畳まれた部分を省略して示す図である。
【図５】図１に示す収納幅可変式板材収納枠の移動機構の一部を示す斜視図である。
【図６】図７に示すＡ−Ａ線に沿った断面図である。
【図７】図６に示すＢ−Ｂ線に沿った断面図である。
【図８】図７に示すＣ−Ｃ線に沿った断面図であって、移動機構の一部を示す図である。
【図９】本発明の他の実施の形態にかかる収納幅可変式板材収納枠の底板（天板）を透過させた状態で簡略化して示す平面図である。
【図１０】本発明の他の実施の形態にかかる収納幅可変式板材収納枠の底板（天板）を透過させた状態で簡略化して示す平面図である。
【図１１】本発明の他の実施の形態にかかる収納幅可変式板材収納枠の可動側板と移動機構付近を分解して示す斜視図である。
【符号の説明】
【００５７】
１    収納幅可変式板材収納枠
１０    底板
１０Ａ    第１の底板
１０Ｂ    第２の底板
１１、２１    ヒンジ
１６Ａ、１６Ｂ、２６Ａ、２６Ｂ    ガイド孔
２０    天板
２０Ａ    第１の天板
２０Ｂ    第２の天板
３０    固定側板
４０    可動側板
５０    移動機構
５１    底板側移動機構
５２    天板側移動機構
６１Ａ、６１Ｂ、６２Ａ、６２Ｂ、７１Ａ、７１Ｂ、７２Ａ、７２Ｂ    歯車
５３Ａ、５３Ｂ、    垂直連動軸
６３Ａ、６３Ｂ、７３Ａ、７３Ｂ    可撓性ラック部材
６４、７４    水平連動軸
６５Ａ、６５Ｂ、６８Ａ、６８Ｂ、７５Ａ、７５Ｂ、７８Ａ、７８Ｂ    支持レール
６９Ａ、６９Ｂ    歯
【図１】
2008062963.tif 000003
【図２】
2008062963.tif 000004
【図３】
2008062963.tif 000005
【図４】
2008062963.tif 000006
【図５】
2008062963.tif 000007
【図６】
2008062963.tif 000008
【図７】
2008062963.tif 000009
【図８】
2008062963.tif 000010
【図９】
2008062963.tif 000011
【図１０】
2008062963.tif 000012
【図１１】
2008062963.tif 000013